Podtech/llm-jp-corpus-v4-ja_patent huggingface dataset:
(57)【要約】【課題】  従来の可撓性チューブは、柔軟性を持たせるために柔らかな素材で構成されていたため、圧迫など外部より与えられる力の大きさや曲げられる度合いにより閉塞してしまう場合があった。【解決手段】  一本ではなく、複数本の可撓性チューブで構成するものである。また、複数本の可撓性チューブを螺旋状、又は、三つ編み状などの様に互いに絡み合った状態とする事で更に閉塞しにくくするものである。【選択図】図１
2013144570.tif 000002
【特許請求の範囲】
【請求項１】
複数本で構成される事を特徴とする流体を通すための可撓性の有るチューブ。
【請求項２】
らせん状又は三つ編みなどの様に互いに絡み合った状態であることを特徴する請求項１のチューブ。
【請求項３】
液体を収容する容器の傾きが変化しても、常にその液体の中にチューブの一方が位置するために先端に重りを有する請求項１又は２に記載のチューブ。
【請求項４】
酸素療法に用いる酸素を供給するためのチューブが請求項１又は２に記載のチューブ。
【請求項５】
点滴に用いる液体を供給するためのチューブが請求項１又は２に記載のチューブ。
【発明の詳細な説明】
【技術分野】
【０００１】  本発明は、可撓性チューブに関する。
【背景技術】
【０００２】  可撓性チューブは、流体を通し且つ柔軟性を有するチューブで、液体を吐出させるスプレー、患者への酸素供給器、患者へ薬剤などを供給する点滴などに用いられている。
【発明の概要】
【発明が解決しようとする課題】
【０００３】  従来の可撓性チューブは、柔軟性を持たせるために柔らかな素材で構成されていたため、圧迫など外部より与えられる力の大きさや曲げられる度合いにより閉塞してしまう場合がある。
【課題を解決するための手段】
【０００４】  本発明は、一本ではなく、複数本の可撓性チューブで構成するものである。また、複数本の可撓性チューブを螺旋状、又は、三つ編み状などの様に互いに絡み合った状態とする事で更に閉塞しにくくするものである。
【発明の効果】
【０００５】  複数本の可撓性チューブで構成する事により、圧迫など外部から与えられる力や、鋭角な曲げ角度に対しても閉塞しにくい効果が有る。また、複数本の可撓性チューブを螺旋状、又は、三つ編み状などの様に互いに絡み合った状態とする事により、ばらけることなく、且つ、閉塞しにくい効果がある。これは、胎児のへその緒が閉塞しにくいのと類似である。
【図面の簡単な説明】
【０００６】
【図１】  （ａ）螺旋状に構成された２本のチューブから成る本発明の可撓性チューブの模式図である。（ｂ）三つ編み状に構成された３本のチューブから成る本発明の可撓性チューブの模式図である。
【図２】  本発明の可撓性チューブをハンドスプレーに適用した説明図である。（実施例１）
【図３】  本発明の可撓性チューブを圧力スプレーに適用した説明図である。（実施例２）
【発明を実施するための形態】
【０００７】  以下、実施例１、２により説明する。
【実施例１】
【０００８】  図１は、本発明の可撓性チューブを示す模式図で、（ａ）は２本の可撓性チューブが螺旋状に構成されたものであり、（ｂ）は３本の可撓性チューブが三つ編み状に構成されたものである。【０００９】  図２は、本発明の可撓性チューブをハンドスプレーに適用した例である。従来のハンドスプレーでは、逆さ状態、又は、液体が少なく且つ大きく傾けた状態では、液体の吐出が困難であった。本発明の可撓性チューブ１は先端に取り付けられたおもり２により、液体と一緒に移動し、且つ、閉塞しにくいため、図２の様な状態においても液体の吐出が可能である。
【実施例２】
【００１０】  図３は、本発明の可撓性チューブを圧力スプレーに適用した例である。実施例１同様に、液体が少なく且つ大きく傾けた状態においても、液体の吐出が可能である。
【符号の説明】
【００１１】  １  可撓性チューブ
２  可撓性チューブの一端に取り付けられたおもり
３  液体容器
４  液体を吐出させるためのレバー
５  液体を吐出するノズル
６  液体
【図１】
2013144570.tif 000003
【図２】
2013144570.tif 000004
【図３】
2013144570.tif 000005
(57)【要約】【課題】  ボックスの内部に収納した複数の中から同じ形態をした物体を二個ずつ手探りで探しだす形状物対手探り脳活性化具を提供する。【解決手段】  形状物体収納底板に形状物体見本置上盤の間の周囲に正面囲い板と背面囲い板に左右手差込み囲い板を設けそのやや中央部に手差込み口に手差込み切部を施す事により手のサイズに合うように出入できる、背面に内部を覗ける背面内部覗き窓を設け左右手差込み囲い板を正面側を狭くする事により手を差込みやすくなる形状を特徴とする形状物体手探り脳活性化具である。【選択図】図５
2013144080.tif 000002
【特許請求の範囲】
【請求項１】
形状物体収納底板の周囲に囲い板を設け、その左右に手差込み口の板に手が差込みができる様に切り込みを数ヶ所に設け、背面の囲い板の中央部に内部を覗ける窓を設け、これらの囲い板の上部に上盤を設け内部に入れる形状物体の見本を置ける事を特徴とする形状物体手探り脳活性化具である。
【発明の詳細な説明】
【技術分野】
【０００１】  本発明は、ボックスの左右に手を差込み内部の形状物体を探り当てる形状物体手探り脳活性化具に関するものである。
【背景技術】
【０００２】  従来、手の平や指先を使用した運動具はあった。
【発明の開示】
【発明が解決しようとする課題】
【０００３】  指先や手を使用し健康や痴呆症を防止する具は色々と考案されて有るが、長続しなかったり、さほどの効果が確認できなかった。
そこで、指先で物を探す事で脳も一緒に活動させる物である。
【課題を解決するための手段】
【０００４】  ボックスに内部に形状物体を同じ物を二個ずつ複数入れることにより、左右に設けた手差込み口から手を差込み同形状物体を手探りで探しだす事を特徴とする形状物体手探り脳活性化具である。【０００５】  形状物体見本置上盤にボックスの中に入れる形状物体を上盤の上に置たり写真に写した物を置くこ事により形状物体の目安となり指先を通して脳で感じ取り形状物体を探しやすくする事が出来る事を特徴とする形状物体手探り脳活性化具である。【０００６】  背面囲い板の中央部に内部覗き窓を設ける事により向かい合って一緒に楽しむ時に相手の手の動きや、何を探しているか等を面白く楽しむことが出来る形状物体手探り脳活性化具である。
【発明の効果】
【０００７】  ボックスの中の形状物体を見えない方法で手探りで探り当てようと脳と指先が一緒に活動する事により園児から高齢者まで物の考えや手先の器用など健康的に楽しみながら出来る形状物体手探り脳活性化具である。
【発明を実施するための最良の形態】
【０００８】    以下、本発明の実施の形態について図面を参照して説明する。
図５の斜視図の（１）（２）（３）（４）（５）（６）（７）（８）で構成された形態をボックスと表現する。【０００９】  図１の形状物体見本置上盤（１）の上に形状物体見本（９）を置くことによりボックスの中に置く形状物体（１０）の形態を脳と手先で認識しやすくしてやる為の見本である。【００１０】  図２の正面囲い板（３）はゲームをする人が向い合う面で左右手差込み囲い板（４）のやや中央部に手差込み口（６）を設け、手が出入可能に手差込み切部（７）施しボックスの内部に入れた形状物体（１０）がこぼれ出ないようにもしてある。【００１１】  図３の背面囲い板（３）の中央部に背面内部覗き窓（５）を設ける事により向い合って一緒に楽しむ時や側で見ている人たちが、内部の手の動きを見ながら楽しむ事が出来る窓である。【００１２】  図４の背面囲い板（３）の中央部に背面内部覗き窓（５）と左右手差込み囲い板（４）に手差込み口（６）と手差込み切部（７）を施す事により園児から大人の手の大きさに適応できる様になる。【００１３】  図５の形状物体収納底板（８）と形状物体見本置上盤（１）の周囲に正面囲い板（２）と背面囲い板（３）に両脇側に左右手差込み囲い板（４）を設け、そのやや中心部に手差込み口（６）に手差込み切部（７）を施す事により手のサイズに合うように出入できる、背面内部覗き窓（５）を設ける事で周りで見ている人達が今何を探して居るのかと楽しむ事ができる。【００１４】  図６の形状物体収納底板（８）に形状物体（１０）をボックスの中に入れ手差込み口（６）から手を差込み形状物体（１０）を探す様子を上から見て表現したもの。左右の手差込み囲い板（４）は正面囲い板（２）の方を背面囲い板（３）より狭くし角度をつける事により園児から大人まで手差込み口（６）に手をスムーズ入れやすく形状物対（１０）を手探りするのにも良いのが特徴である形状物体手探り脳活性化具である。
【図面の簡単な説明】
【００１５】
【図１】  本発明の形状物体を並べた平面図
【図２】  本発明の正面図
【図３】  本発明の背面図
【図４】  本発明の左側面図
【図５】  本発明の斜視図
【図６】  本発明の実施例を示し上盤を取り除いた平面図
【符号の説明】
【００１６】  １  形状物体見本置上盤
２  正面囲い板
３  背面囲い板
４  左右手差込み囲い板
５  背面内部覗き窓
６  手差込み口
７  手差込み切部
８  形状物体収納板
９  形状物体見本
１０  形状物体
【図１】
2013144080.tif 000003
【図２】
2013144080.tif 000004
【図３】
2013144080.tif 000005
【図４】
2013144080.tif 000006
【図５】
2013144080.tif 000007
【図６】
2013144080.tif 000008
(57)【要約】      （修正有）【課題】肌と接触して使用する構造物と肌との間に生じる汗を、構造物が持つデザイン性を損なうことなく、衛生的にかつ長期的に放汗性を持続できるスペーサーを提供する。【解決手段】シートの片側表面に樹脂等の素材でできた多数のループ状若しくは先端が球状の突起物を持ち、身体とそれに接触する構造体の間に挿入して、肌と構造体が密着するのを防ぎかつ肌より放出された汗を外へ逃がす。【選択図】図１
2013144034.tif 000002
【特許請求の範囲】
【請求項１】
本発明は、シートの片側表面に多数のループ状若しくは先端が球状の突起物を持ち、身体とそれに接触する構造体の間に挿入して、肌と構造体が密着するのを防ぐスペーサー。
【請求項２】
突起物の高さが１ｍｍから１０ｍｍである請求項１記載のスペーサー
【発明の詳細な説明】
【技術分野】
【０００１】
本発明は、直接肌に触れるアクセサリーを装着した時に、肌とアクセサリーが密着してしまうのを防ぐスペーサーである。
【背景技術】
【０００２】
日常生活において腕時計を着けるといつでも時間を確認できるためとても便利である。最近ではポータブル音楽プレーヤーといった小型情報機器を腕等に装着し音楽を聴きながらジョギング等を楽しむ人たちも増えてきている。
【０００３】
しかし、直接身体に取りつける場合、接触している部分が汗で蒸れるという問題がある。特に夏場や運動を伴う場合では、長時間汗が滞留し不快であり不衛生である。
【０００４】
この解決策として、肌に触れる部分にタオル地の素材を用いたリストバンドウウォッチ（例えば、特開平１０−１５５５２７号）や、吸水性素材をバンド内側に施した物（例えば、特開平６−７８８１０号）、不織布などを用いて肌との接触面積を減らす物（例えば、実登３０６４４７４号）などが知られている。
【０００５】
また、突起物を用いて汗を逃がすシールとして汗、カビ、錆防止シール（例えば、特開平０８−１８８７６５号）が知られている。
【先行技術文献】
【特許文献】
【０００６】
【特許文献１】特開平１０−１５５５２７号
【特許文献２】特開平６−７８８１０号
【特許文献３】実登３０６４４７４号
【特許文献３】特開平０８−１８８７６５号
【発明の概要】
【発明が解決しようとする課題】
【０００７】
解決しようとする問題点としては、リストバンドタイプでは装着した時の見た目が悪く、高級装飾品の場合、その価値を低下させかねない。また発生した汗を吸収するタイプでは繰り返し使用した場合、吸収体内で雑菌が繁殖し不衛生となる。また不織布等を用いるタイプでは使用していくうちに不織布内にある空気層がつぶれてしまい接触面積を減らす効果は使用するにつれて減っていく。
【０００８】
また、突起物によって通気性を高めるために、突起物の硬度を高くして少ない本数で自立させたりすると肌への刺激が強くなり長時間の使用が困難になる。一方、肌への刺激を少なくするために、突起物の素材を柔くしたり、数を少なくすると通気層が確保できなくなる欠点があった。
本発明は、これらの問題点を解決する為になされたものである。
【課題を解決するための手段】
【０００９】
上記課題を解決するための、請求項１記載の考案は、シートの片側表面に多数
のループ状若しくは先端が球状の突起物を持ち、身体とそれに接触する構造体の間に挿入して、肌と構造体が密着するのを防ぐスペーサー。
【００１０】
請求項２の考案では、突起物の高さが１から１０ｍｍである。
【発明の効果】
【００１１】
本発明を用いることにより、構造体と身体が接触する部分だけにスペーサーを挿入すればよいので外見的には違和感なく装着でき、デザイン性を損なわない。またスペーサー自体が水分をほとんど吸収しないので衛生的で、かつ突起体は自立している構造であるため、長時間使用していても通気層がつぶれることは無い。
【００１２】
また突起物の形状がループ状若しくは、先端が球状になっているため、肌との接触面積が小さく装着性がよい。
【発明を実施するための形態】
【００１３】
本発明の実施形態について図面を参照して説明する。図１に、本発明に係る放汗用スペーサーを腕時計裏面に設置した状態を示す。本発明の放汗用スペーサーは肌への接触面積を減らす突起部分１とその突起部分を支えるベース２、これらを機器に固定する粘着層３の３部分に分けられる。図１において外観からは見えない時計の本体裏側に放汗用スペーサーを固定し直接肌に接触することを防いでいる。また図２〜３に突起物の形状の例を示す。図２はループ状であり肌へ突起部の角が当たらなくなる。図３は先端が球状であり肌への接点面積を減らし装着感を向上している。
【００１４】
突起部分の素材はプラスチック、繊維、ゴム、金属等があり、突起物の形状は糸状体を曲げループ状にしたものが柔かい素材でも対荷重強度が増し、肌への接触円弧の半径を大きく取ることが出来るため放汗しやすく肌への装着感がよい。また突起物の先端は球状に丸めると同じ形の棒状突起物に比べると肌へのあたりがよくなる。また素材の固さ、突起部分の長さは装着感に大きく影響を与える部分であるため好みに応じて決める。また雑菌等の増殖を防ぐため抗菌、殺菌加工を施してもよい。
【００１５】
ベース部２は突起部分１と同じ素材であれば製作コストを抑えられ、つなぎ部分の強度も増すので同一素材であるのが望ましい。粘着層３は市販の粘着体も使えるが、体温により軟化しない粘着剤が望ましい。場合によっては粘着剤を使わずに接着してもよい。
【産業上の利用可能性】
【００１６】
時計やリストバンドのような身体に直接触れるアクセサリーや、携帯電話、音楽プレーヤー等の携帯情報端末や、指サックやゴム手袋、靴といった日常品や、コルセットやギブス・メガネといった矯正医療器具と肌との接触部分にも応用が可能。
【図面の簡単な説明】
【００１７】
【図１】図１は放汗用スペーサーの実施方法を示した説明図である（図１）。
【図２】図２はループ状突起部分の拡大図である（図３）。
【図３】図３は先端が球状の突起部分の拡大図である（図３）。
【符号の説明】
【００１８】
１  突起部
２  ベース
３  粘着層
４  腕時計本体裏面
【図１】
2013144034.tif 000003
【図２】
2013144034.tif 000004
【図３】
2013144034.tif 000005
(57)【要約】【課題】電気ポットや電気炊飯器などの電気器具から、抜いた後の器具用プラグの端子に誤って触れたり、磁石式の器具用プラグ（マグネットプラグ）に金属がくっついてショートや発火を引き起こすのを防ぐため、器具用プラグのホルダーを提供する。【解決手段】器具用プラグ４を安全に使用することが出来るよう、器具用プラグホルダー１によって、器具用プラグ４を固定しプラグの接続面を覆うようにしたことを特徴とする。【選択図】図１
2013144081.tif 000002
【特許請求の範囲】
【請求項１】
器具用プラグ４（磁石式の器具用プラグ・マグネットプラグを含む）の電源コード５の側面に、プラグの接続面を覆い固定するダミーの器具用プラグ接続部を設ける。以上の構成よりなる器具用プラグ固定具。
【発明の詳細な説明】
【技術分野】
【０００１】この発明は、電源コードに器具用プラグのダミーの接続部を設けることにより、そこに器具用プラグを固定し、安全に使用出来る様にした器具用プラグホルダーに関するものである。
【背景技術】
【０００２】電気ポットや電気炊飯器等の器具用プラグにはカバー等がなかった。
【発明の概要】
【発明が解決しようとする課題】
【０００３】電気器具から抜いた器具用プラグがそのままでは、小さい子がプラグの接続面に触れたり、特に磁石式の器具用プラグ（マグネットプラグ）は、クリップ等の金属がくっついてショートし、感電や発火を引き起こしたりする危険性がある。本発明はこの課題を解消するためになされた。
【課題を解決するための手段】
【０００４】器具用プラグ４を収容し固定出来る器具用プラグホルダー１を形成し、そこに電源コード５が固定可能なコード取りつけ部２を設ける。器具用プラグホルダー１本体は電気を通さない素材とする。本発明は、以上の構成より成る器具用プラグホルダー１である。
【発明の効果】
【０００５】器具用プラグ４の接続面がふさがれるので、人がプラグ接続面に触れにくく、マグネットにクリップ等の金属が触れるのを防ぐため、安全に使用できる。
【発明を実施するための最良の形態】
【０００６】以下、本発明を実施するための最良の形態について説明する。
（イ）  器具用プラグ４のダミーの接続部の役目をする器具用プラグホルダー１に、コード取りつけ部２が設けられている。磁石式の器具用プラグ４（マグネットプラグ）の場合には、磁石がつく素材のマグネット接触部６も設ける。器具用プラグホルダー１のピンはダミーピン３であるため電気を通さない素材である。本発明は以上のような構造である。
（ロ）  コード取りつけ部２に電気器具の電気コード５をはめこみ、取りつけて使用する（コードの取り外しも可能）。電気器具が使い終われば、電気器具から抜いた器具用プラグ４を、器具用プラグホルダー１に納めた状態にする。
【図面の簡単な説明】
【０００７】
【図１】  本発明の斜視図
【図２】  本発明の正面図
【図３】  本発明の平面図
【図４】  本発明の側面図
【符号の説明】
【０００８】１  器具用プラグホルダー
２  コード取りつけ部
３  ダミーピン
４  器具用プラグ
５  電源コード
６  マグネット接触部
【図１】
2013144081.tif 000003
【図２】
2013144081.tif 000004
【図３】
2013144081.tif 000005
【図４】
2013144081.tif 000006
(57)【要約】【課題】低コスト、高効率をもって海水などの水中に含まれる微量資源を電気的に回収する方法を発明した。【解決手段】海水を始めとする天然に存在する水と、これに無機又は有機物を含む土砂を混合したもの、言い換えれば海洋や河川、池沼といった天然又は人工的に存在する水溜りを、そのまま二次電池の電解液として利用し、これに蓄えた電力を利用することによって効果的に電気分解を行い、水中の資源を回収する。【選択図】図１
2013144817.tif 000002
【特許請求の範囲】
【請求項１】
浮体の水面上に太陽光、風力、水力、火力、原子力による発電手段を備え、水面下に一対または複数対の電極を含浸させて発電した電気を海水及び海砂に蓄電させることを可能とした装置又は設備。
【請求項２】
請求項１の機構を用いて電気分解を行い、副次的に水中の金属資源を電極表面に電着、回収することを目的とした装置
【発明の詳細な説明】
【技術の分野】
【０００１】海水と砂といった天然物質を電解液として用いた二次電池、及びこれと太陽光、風力又は水力発電と組み合わせた電力供給システム、並びにこの時副次的に得られる水中資源を回収する方法に関する発明である。
【背景技術】
【０００２】海水中にはナトリウム、マグネシウム、カリウム、ウラン、リチウム、金といった微量の金属資源が含まれており、鉱山資源に乏しい我が国に於いては、これら海中資源を採取回収し、産業利用することが望まれる。【０００３】現在は吸着剤によって特定の資源を回収が研究されているが、本発明では電気分解による酸化還元反応によって金属を電気的に吸着、回収する方法をとる。
【発明の概要】
【発明が解決しようとする課題】
【０００４】海水中に含まれる有用資源の割合はごく微量であるため、現在の技術では、これを回収・精製し、資源として活用するには費用面及びエネルギー供給面においてコストが掛かり過ぎ、成立させるのは困難である。
【課題を解決する為の手段】
【０００５】本発明におけるモデルとして、浮体の水面上に太陽光、風力又は水力等による発電手段を備え、水面下に一対または複数対の電極を含浸させて発電した電気を海水及び海砂に蓄電させることを可能とした設備を示す。
【０００６】電極の素材としては、導電性で、両極間のイオン化傾向の差が大きいものであれば何でもよいが、入手難度とコストを考慮したうえで、アルミニウム（陰極：イオン化傾向大）と木炭（陽極：イオン化傾向小）などが挙げられる。
【０００７】上記の装置を用いて発電及び蓄電を同時に行い、その結果恒常的に海中に通電が為され、海水が電気分解されて負電極表面に海水中に溶けた正電荷をもつ金属イオンが電解めっきの要領で電着される。
【発明の効果】
【０００８】例えば、発電手段として太陽光を選択した場合、日中は発電機により、また夜間は水中に蓄電された電力によって恒常的に通電が行われるため、一日中効率よく水中で電気分解を起こすことが出来る。
【０００９】装置自体は非常に単純かつ高価な素材を選ぶ必要がないため、低いコストで運用が可能である。
【図面の簡単な説明】
【００１０】
【図１】は、本発明の概略図である。
【発明を実施するための形態】
【００１１】上記装置を１単位とし、複数単位を海上あるいは海中に係留させておくことで自動的に海水中の資源を電極表面に集めることが出来る。
【００１２】数日で電極の劣化及び分極が発生するため、装置を回収し、電極の交換を行う。この際に電極表面に付着した金属資源を回収する。
【００１３】前述の通り電極素材は安価なため、この交換に要するコストは低く抑えることが出来る。
【００１４】電解質としての水が存在する場所であれば、海洋の他、河川、湖沼、ダム、上下水道など、天然・人工を問わず運用可能であるが、特に天然の水域を利用する場合は、発生する塩素などの有毒ガス、電極から流れ出る金属イオンや有機物による水質汚染、及び水中漏電などによる生態系への影響に十分配慮する必要がある。
【図１】
2013144817.tif 000003
(57)【要約】【課題】大きさや厚みなどの物理的特性が異なる媒体を１つの印刷部で印刷することを可能にする。【解決手段】媒体は媒体判別用センサによって判別され、その媒体に合った位置に可動ガイドを移動させることによりどの大きさの媒体も常に固定ガイド側に沿って印字部内を走行し印刷する。すなわち、複数種類の大きさの媒体に印字する乗車券発行機において、前記複数種類の媒体の大きさを判別する媒体判別用センサと、前記媒体判別用センサが得た情報を元に可動ガイドを可動させ、可動ガイドと固定ガイドの間で媒体を安定して搬送する機構と、前記機構上に配置された印刷ヘッドユニットとを具備することを特徴とする乗車券発行機。【選択図】図１
2013257827.tif 000002
【特許請求の範囲】
【請求項１】
複数種類の大きさの媒体に印字する乗車券発行機において、
前記複数種類の媒体の大きさを判別する媒体判別用センサと、
前記媒体判別用センサが得た情報を元に可動ガイドを可動させ、可動ガイドと固定ガイドの間で媒体を安定して搬送する機構と、
前記機構上に配置された印刷ヘッドユニットと
を具備することを特徴とする乗車券発行機。
【発明の詳細な説明】
【技術分野】
【０００１】
本発明は、大きさや厚みの異なる大型磁気化券やエドモンソン券、磁気定期券などの磁気券とＩＣカード乗車券等のカードを1台で発行できる装置において、磁気券とカードを１つの印刷部で行う乗車券発行機に関するものである。
【背景技術】
【０００２】
現在、大型磁気化券やエドモンソン券、磁気定期券などの磁気券とＩＣカード乗車券等のカードを1台で発行できる乗車券発行機において、磁気券とカード用の印刷部をそれぞれ搭載している。
【０００３】
そのためそれぞれに専用の空間を設ける必要があり、装置全体が大きくなる欠点があった。
【０００４】
この欠点は多種の媒体を発行可能とする装置を小型化する上で大きな障害である。この欠点を補うために、装置全体で過度に実装密度が上がり、搬送経路が煩雑になることもあった。
【先行技術文献】
【特許文献】
【０００５】
【特許文献１】特開平１１−２５９６９４号公報
【発明の概要】
【発明が解決しようとする課題】
【０００６】
解決しようとする課題は、大きさや厚みなどの物理的特性が異なる媒体の印刷部を１つの共通の印刷部にする点である。
【課題を解決するための手段】
【０００７】
請求項１によれば、複数種類の大きさの媒体に印字する乗車券発行機において、前記複数種類の媒体の大きさを判別する媒体判別用センサと、前記媒体判別用センサが得た情報を元に可動ガイドを可動させ、可動ガイドと固定ガイドの間で媒体を安定して搬送する機構と、前記機構上に配置された印刷ヘッドユニットとを具備することを特徴とする乗車券発行機。
【０００８】
本発明は、大きさの異なる媒体をセンサで判別し、その大きさに合わせて可動するガイドを有し、各媒体を同一の印刷ヘッドユニットで印刷することを最も主要な特徴とする。
【発明の効果】
【０００９】
本発明は、1つの印刷部で大きさの異なる媒体を印刷できるため、それぞれに印刷部を設ける必要がなくなり、装置全体の小型化ができるという利点がある。
【図面の簡単な説明】
【００１０】
【図１】印刷部を正面から見た、機構の概要を示した説明図である。（実施例１）
【図２】印刷部を上面から見た、機構の概要を示した説明図である。（実施例１）
【発明を実施するための形態】
【００１１】
大きさや厚みの異なる媒体を同一の印刷部で印刷するという目的を、媒体を特定するセンサとその情報を元に可動するガイドを配置することにより実現した。
【実施例１】
【００１２】
図１は、本発明の実施例１の説明図であって、１は印刷ヘッドユニットである。また、２は媒体判別用センサ、３ｂは可動ガイド、４ａ、４ｂ、４ｃはローラ、５は媒体である。
１乃至４は図２も同様であり、６ａ、６ｂは固定ガイドである。
【００１３】
媒体５は媒体判別用センサ２によって判別されるとその媒体に合った位置に可動ガイド３ａ、３ｂが移動する。
【００１４】
可動ガイド３ａ、３ｂにより固定ガイド６ａ、６ｂとの距離が規制されることにより常に固定ガイド６ａ、６ｂ側に沿って印字部内を進行することが可能となる。
【００１５】
可動ガイド３ａ、３ｂと固定ガイド６ａ、６ｂで規制された媒体５は両ガイド間を進行し、印刷ヘッドユニットにより印刷される。
【００１６】
可動ガイド３ａ、３ｂは媒体５の種類によって位置を変化させることが可能で、大きさが異なる媒体５を安定搬送できることから印刷部を１つにすることが可能となる。
【００１７】
本発明は、乗車券発行装置において、媒体を判別する機能を装備し、その情報を元に可動するガイドにより各種媒体を安定して搬送する機構上に印刷ヘッドユニットを配置した構造を有することを特徴とする。
【産業上の利用可能性】
【００１８】
多種の券紙を発行可能な装置全般に適用できる。
【符号の説明】
【００１９】
１                  印刷ヘッドユニット
２                  媒体判別用センサ
３ａ、３ｂ          可動ガイド
４ａ、４ｂ、４ｃ    ローラ
５                  媒体
６ａ、６ｂ          固定ガイド
【図１】
2013257827.tif 000003
【図２】
2013257827.tif 000004
(57)【要約】【課題】印鑑の受注に用いられる書体見本は顧客が依頼する彫刻内容を用いたものではなかったため、顧客は自分の依頼する彫刻内容の印影を自分で漠然と想像するしかなかった。そのため実際に出来上がった印影とのある程度の違いは許容せざるを得なかった。【解決手段】用意された書体すべてを用いて依頼内容を反映した印影見本を印鑑の受注時に生成し顧客に提示する。【選択図】図５
2013257854.tif 000002
【特許請求の範囲】
【請求項１】
印鑑の受注時において顧客の発注する彫刻内容を用いてすべての書体の印影見本を提示し発注の利便性を高めるシステム。
【発明の詳細な説明】
【技術分野】
【０００１】  この発明は、印鑑受注の際に受注内容を用いて印影を提示するシステムに関する。
【背景技術】
【０００２】  従来の印鑑の受注、特にインターネットを通じた印鑑の受注において書体見本は受注内容とは無関係の氏名を用いたものである。
【発明の概要】
【発明が解決しようとする課題】
【０００３】  従来の印鑑の受注において書体の選択には各書体の見本を顧客に提示していたがその見本に使用される彫刻内容は歴史上の人物名や著名人の氏名など顧客の依頼内容とは無関係のものが使われていた。そのため顧客は自分の依頼内容（多くの場合は顧客の氏名）がどのように彫刻されるかを自身の想像に頼るほか無かった。その結果顧客は出来上がった製品を好むと好まざるとに関わらずそのまま引き取る事もままあった。
【課題を解決するための手段】
【０００４】  以上の課題を解決するために、この発明は、入力された文字数により自動的に文字を変形させ、用意された書体すべてを用いて受注内容を反映させた印影見本を同時に複数提示するものである。
【発明の効果】
【０００５】  この発明によれば、用意された書体をすべて用いて印影見本を同時に提示するため比較検討が容易である。
【図面の簡単な説明】
【０００６】
【図１〜図６】
2013257854.tif 000003
【発明を実施するための形態】
【０００７】  この発明の一実施形態を、図１〜６に示す。本発明はインターネット回線を通じて顧客と接続（図１）したサーバー上、または店頭のパソコン上（図２）にて稼動する。  顧客は受注ページ１（図３）で彫刻する内容を入力する。このページには彫刻内容の入力欄と印影見本を表示させる「書体見本」ボタン（１）が配置されている。顧客は彫刻内容を入力した後に書体見本ボタンを押す。この際空欄のままで押すと入力を促す画面（図４）が表示され元のページに戻る。  「書体見本」ボタン（１）を押すと、彫刻内容を反映し用意されたすべての書体を用いた印影見本（図５）が表示される。この印影見本によりすべての書体を閲覧し比較検討ができる。彫刻内容を入力しなおす場合は「この画面を閉じる」ボタン（２）を押し、受注ページ１に戻る。十分に比較検討し書体を決定したら各書体の印影見本に対応したボタン（３）を押すとこのウインドウは閉じられ受注ページ２（図６）にその選択が反映される。引き続き購入するには同様の操作を行う。店頭での受注業務においては適宜店員が入力作業などを代行してもよい。
【０００８】「実施形態の効果」  この実施形態によれば、顧客は用意されたすべての書体を用いた印影見本が表示された中から比較検討し、一番気に入った書体を選択することができる。
【符号の説明】
【０００９】１  「書体見本」ボタン    ２  「この画面を閉じる」ボタン    ３  各書体の印影見本に対応したボタン
【図１】
2013257854.tif 000004
【図２】
2013257854.tif 000005
【図３】
2013257854.tif 000006
【図４】
2013257854.tif 000007
【図５】
2013257854.tif 000008
【図６】
2013257854.tif 000009
(57)【要約】【課題】  食材の体質が柔らかく、重量やサイズの大きい場合でも乾燥による乾きムラを解消した食材の乾燥装置を提供する【解決手段】  収納棚１の上に配置した複数の食材３に対し、冷風を一定方向に送風させる乾燥装置において、収納棚１を構成する網目状の金属棒２には、１食材に対して複数の突起物４が存在するように構成した【選択図】図１
2013257097.tif 000002
【特許請求の範囲】
【請求項１】
収納棚の上に配置した複数の食材に対し、冷風を一定方向に送風させる乾燥装置において、収納棚を構成する網目状の金属棒に１食材に対して複数の突起物が存在するように構成したことを特徴とした食材の乾燥装置
【発明の詳細な説明】
【技術分野】
【０００１】
本発明は、魚や野菜、果物あるいは肉類など各種食材の乾燥を行う乾燥装置に関する。
【背景技術】
【０００２】
従来、魚などの品質の良い干物を多数製造する場合、乾燥室内に収納した収納棚に魚を多数乗せて一方向に冷気（約２０℃以下）を送風する乾燥処理などが行われている。
【０００３】
この乾燥においては、従来、図５に示すように乾燥装置の収納棚１１は金属棒１２で網目状に構成されており、この収納棚１１の上に食材を多数乗せてｘ方向に冷風を送風する。
【発明の概要】
【発明が解決しようとする課題】
【０００４】
しかしながら、従来の収納棚構造では、図６に部分的断面構造を示した様に、魚の水分除去をする際、食材３の体質が柔らかで、重量が重いと、食材３が金属棒１２にベッタリと付着し、風の通りが悪くなって、食材の乾燥効率や乾燥品質が低下する。
【０００５】
即ち、重量やサイズの大きい食材の場合、水滴が残った状態となっており、乾燥途中で食材を裏返して再度乾燥処理するなど作業が手間取り、乾燥時間も長引くことになる。
【０００６】
本発明は、かかる課題を改善し、冷風乾燥による乾きムラを解消した食材の乾燥装置を提供することを目的とする。
【課題を解決するための手段】
【０００７】
本発明は、収納棚の上に配置した複数の食材に対し、冷風を一定方向に送風する乾燥装置において、収納棚を構成する網目状の金属棒に１食材に対して複数の突起物が存在するように構成した。
【発明の効果】
【０００８】
本発明によれば、柔らかい食材に対しても、食材下部に位置する突起物間を冷風が滞ることなく通過し、水滴除去が行えるため、食材全面の乾燥状態が均一にでき、かつ、高品質の干物が効率良く製造できる。
【図面の簡単な説明】
【０００９】
【図１】本発明の収納棚の網目に食材を搭載した部分的断面図
【図２】本発明の収納棚の網目を示す図
【図３】本発明の収納棚の網目構成の部分的詳細図
【図４】本発明の乾燥装置の断面図
【図５】従来の収納棚の網目図
【図６】従来の収納棚の網目に食材を搭載した部分的断面図
【発明を実施するための形態】
【００１０】
以下、本件の実施形態を図面を参照して説明する。
【実施例】
【００１１】
図２は、収納棚１の構造を示しており、各網目２は、ステンレスの金属棒やその他の材質でできており、図３に部分的な細部を示すように、各金属棒２には多数の突起物４を形成している。
【００１２】
従って、この収納納棚１の上に乾燥対象の食材３を乗せると図１に示すように、食材３が突起物４に支えられて空間５を構成する。
【００１３】
このように、配置された食材は、図４に示す乾燥庫６０に収納される。即ち、開平扉６１を開けて、食材３を上乗せした収納棚２を収納箱６４の各段に収納する。その後、開平扉６１を閉めて、乾燥庫６０を稼働させる。
【００１４】
乾燥庫６０が稼働されるとファン６５が動作し、実線の矢印で示した方向に風が移動される。この時、乾燥機６２により、風は冷風になるとともに、オゾン発生器６３から点線のオゾンが発生し、殺菌なども行う。
【００１５】
従って、オゾンを含んだ冷風が図１に示した空間５を滞りなく通り抜け、食材３が柔らかく、かつ、水分を多く含んでいても効率良く短時間で正しく乾燥させられる。
【００１６】
この様に、適度な空間５を形成するためには、突起物４の高さは、１ｍｍ以上、特に２ｍｍから１０ｍｍ程度が好ましい。また、突起物４間のピッチ幅は、５ｍｍ以上、特に、１０ｍｍから５０ｍｍ程度が好ましい。
【００１７】
また、金属棒２の突起物４の形状は、円錐形状だけではなく、台形形状や波形形状など、食材３への接触面積を少なくした形状とすれば良い。
【００１８】
そして、ここで使用される食材は、生魚、みりん干、野菜、果物、肉類など各種材料が適用される。
【符号の説明】
【００１９】
１  ・・・  収納棚
２  ・・・  金属棒
３  ・・・  食材
４  ・・・  突起物
５  ・・・  空間
６０  ・・  乾燥庫
６１  ・・  開平扉
６２  ・・  乾燥機
６３  ・・  オゾン発生器
６４  ・・  収容箱
【図１】
2013257097.tif 000003
【図２】
2013257097.tif 000004
【図３】
2013257097.tif 000005
【図４】
2013257097.tif 000006
【図５】
2013257097.tif 000007
【図６】
2013257097.tif 000008
(57)【要約】      （修正有）【課題】顔の皺や弛みを伸ばし、また、偏頭痛をやわらげるためにツボ押しができる皺伸ばし眼鏡を提供する。【解決手段】頬骨の凹み部分を押さえるべく、眼鏡フレームのテンプル２の内側を突起させる構造であって、注文者の偏頭痛ツボである左右頬骨の後上の凹み部分位置を計測し、その部分を押さえるように丈夫な眼鏡フレームのテンプル２内側部分３ａを滑らかに突起させる。テンプル２の突起部分３ａとパッド６部分とモダン４部分は、ソフトなラバー素材を使用するなど、皮膚が滑りにくい構造にするとよい。【選択図】図１
2013257525.tif 000002
【特許請求の範囲】
【請求項１】
頬骨の後上の凹み部分を押さえるべく、眼鏡フレームのテンプル内側を突起させる構造を特徴とする眼鏡。
【発明の詳細な説明】
【技術分野】
【０００１】  本発明は、顔の皺や弛みを伸ばし、また、偏頭痛をやわらげるためにツボ押しができる皺伸ばし眼鏡に関するものである。
【背景技術】
【０００２】  顔の皮膚の内部に繊維を通し、頬の弛みや皺を耳の後上方向に引き上げる美容整形手術方法がある。
また、皮膚の弛み部分にレーザー照射して脂肪組織を破壊しコラーゲンを再生する美容整形手術方法がある。【０００３】  顔の皮膚の湿度を保つ液体で肌を潤い、浅い皺を伸ばす美容薬商品は多い。【０００４】  顔の皮膚にストレッチテープを貼って皺や弛みを伸ばす方法や、左右の耳の上部毛髪に髪留め付き布帯を固定して頭頂部方向に引き上げる方法など、表面皮膚の引き伸ばし方法がある。
【先行技術文献】
【特許文献】
【０００５】
【特許文献１】  特開２００４−２５４７８８号公報
【特許文献２】  特開２００５−１１１２３０号公報
【発明の概要】
【発明が解決しようとする課題】
【０００６】  美容整形手術は、即刻顔の皺や弛みを矯正できるが、保険が適用されず高額費用がかかり、副作用の可能性がある。【０００７】  美容薬は皮膚が潤い浅い皺は伸ばせても、弛みを矯正させる可能性は低い。【０００８】  高額費用がかからず副作用の心配もなく、偏頭痛をやわらげ、即刻顔の皺や弛みを矯正できる皮膚の引き伸ばし方法が必要である。
【課題を解決するための手段】
【０００９】  本発明は上述の課題を解決するためになされたものである。
左右の頬の弛み皮膚を斜め後上方向に引き上げ、偏頭痛をやわらげるツボである頬骨の後上の凹み部分（３ｅ）の皮膚を丈夫な眼鏡フレームのテンプル内側の突起部分（３ａ）で押さえて、引き上げた皮膚を止める矯正構造の眼鏡。
【発明の効果】
【００１０】  以上説明したように本発明によれば、この皺伸ばし眼鏡を使用することにより、偏頭痛をやわらげ、即刻頬の弛みや皺が矯正され若返る。
美容整形手術より安価で副作用の心配もない。
【図面の簡単な説明】
【００１１】
【図１】  本発明のフレ−ム全体の平面図
【図２】  本発明の突起案３ｂの左テンプル部分の説明図
【図３】  本発明の突起案３ｃの左テンプル部分の説明図
【図４】  本発明の突起案３ｄの左テンプル部分の断面図
【図５】  頭蓋骨を構成する骨と各部の名称の説明図
【発明を実施するための形態】
【実施例１】
【００１２】  頬骨の後上の凹み部分を押さえるべく、眼鏡フレームのテンプル内側を突起させる構造を特徴とする眼鏡。
注文者の偏頭痛ツボである左右頬骨の後上の凹み部分（３ｅ）位置を計測し、その部分を押さえるように丈夫な眼鏡フレームのテンプル内側部分（３ａ）を滑らかに突起させた皺伸ばし眼鏡を作成する。
皺伸ばし眼鏡を顔に掛けてから両手の指で眼鏡フレームの左右テンプルを若干開き、他の指で皮膚を後上方向に引き上げてから左右テンプルを開いた指を離し、他の指も離す。
左右テンプルの突起部分（３ａ）で頬骨後上の凹み部分（３ｅ）が押さえられて、目の縁の頬骨の膨らみ部分（１４）により、引き上げた皮膚が戻らぬように留めることができる。
テンプルの突起部分（３ａ）とパッド（６）部分とモダン（４）部分は、ソフトなラバー素材を使用するなど、皮膚が滑りにくい構造にするとよい。
【実施例２】
【００１３】  実施例１で説明した眼鏡フレームのテンプル内側の突起が必要な部分に、図２の（３ｂ）や図３の（３ｃ）で示した突起例は、軽くて目立たない構造である。
また、図４のように突起部品（３ｄ）を取り付ける構造にすると、丈夫な既製の眼鏡を利用することもできる。
【符号の説明】
【００１４】    １  フロント（前枠）
２  テンプル
３ａ  突起部分
３ｂ  突起部分例
３ｃ  突起部分例
３ｄ  突起部分例
３ｅ  眼鏡の突起部分が押さえる顔の位置
４  モダン（先セル）
５  ブリッジ
６  パッド
７  レンズ
８  リム
９  丁番
１０  ヨロイ（智）
１１  合口
１２  前頭骨
１３  涙骨
１４  頬骨
１５  上顎骨
１６  筋突起
１７  下顎体
１８  頭頂骨
１９  側頭骨
２０  頬骨弓
２１  側頭窩
２２  後頭骨
２３  関節突起
２４  側頭下窩
２５  下顎枝
２６  下顎角
２７  ネジ穴
２８  ネジ
【図１】
2013257525.tif 000003
【図２】
2013257525.tif 000004
【図３】
2013257525.tif 000005
【図４】
2013257525.tif 000006
【図５】
2013257525.tif 000007
(57)【要約】【課題】  本発明は自動車において、ブレーキペダルとアクセルペタルを踏み間違えても急発進を防止する自動車用アクセルペダルを提供する。【解決手段】  本発明の外郭容器部分を成すシリンダー容器に於いて、縦仕切り壁によって、２分割しシリンダー１室及びシリンダー２室を設け、壁面の中間よりやや下方部の中央に一方通行弁を設け、シリンダー１室よりシリンダー２室への流出を制し、シリンダー２室よりシリンダー１室へのみ流出できる弁とし、又その下方に液体小通路を設け、急激な液体の流れを抑制する。シリンダー内に充填された液体において、シリンダー１の液面にはピストンが乗り、ピストンから伸びた伝道棒を介してアクセルペダルへつながる。シリンダー２室の上部には液面から上の空間にある空気の出入り口として小さな通路孔を設けていることを特徴とするアクセルペダルの急発進抑制装置。【選択図】図１
2013023204.tif 000002
【特許請求の範囲】
【請求項１】
本発明の外郭容器部分を成すシリンダー容器に於いて、縦仕切り壁によって２分割し、シリンダー１室及びシリンダー２室を設け、壁面の中間よりやや下方部の中央に一方通行弁を設け、シリンダー１室よりシリンダー２室への流出を制し、シリンダー２室からシリンダー１室へのみ流出できる弁とし、又その下方に液体小通路を設け、急激な液体の流れを抑制する。シリンダー内に充填された液体において、シリンダー１の液面にはピストンが乗り、ピストンから伸びた伝道棒を介してアクセルペダルへつながる。シリンダー２室の上部は液面から上の空間にある空気の出入り口として小さな通気孔を設けていることを特徴とする自動車アクセルペダル急発進制御装置。
【発明の詳細な説明】
【技術分野】
【０００１】  本発明は、自動車のアクセルペダルの制御装置に関するものである。
【背景技術】
【０００２】  従来、自動車のアクセルペダルは、急ブレーキを踏むように急に強く踏み込んだ場合、最大の位置まで踏み込むことができる構造になっていた。
【発明の概要】
【発明が解決しようとする課題】
【０００３】  従来、自動車のアクセルペタルは、急に強くかつ深く踏み込んでも、ペダルが床につくまで踏み込むことができたがために、ブレーキペダルを踏むべき時に間違えてアクセルペダルを踏み、急停止すべきところを、急発進させ大事故に繋がった例が数多く発生した。
本発明は、以上の問題点を解決するためになされたものである。
【課題を解決するための手段】
【０００４】  本発明の外郭容器部分を成すシリンダー容器に於いて、縦仕切り壁によって２分割しシリンダー１室及びシリンダー２室を設け、壁面の中間よりやや下方の中央部に一方通行弁を設け、シリンダー１室よりシリンダー２室への流出を制し、シリンダー２室からシリンダー１室へのみ流出する弁とし、又その下方に液体小通路を設け、急激な液体の流れを抑制し、シリンダー内に充填された液体において、シリンダー１室の液面にはピストンが乗り、ピストンから伸びたアクセルペダル伝道棒を介してアクセルペダルへつながる。シリンダー２室の上部は、液面から上の空間に在る空気の出入口として小さな通気孔を設けている。
以上を特徴とする自動車アクセルペダル急発進抑制装置である。
【発明の効果】
【０００５】  アクセルペダルを急激に強く踏んでも、急に深く踏み込めない構造になっている為、ブレーキと間違えてアクセルペダルを強く踏んでも急発進を抑制する為、とり返しのつかない大事故等を予防することができる。
【図面の簡単な説明】
【０００６】
【図１】本発明
【図２】アクセルペダルを踏み込んだ状態
【発明を実施するための最良の形態】
【０００７】  本発明の外郭容器部分を成すシリンダー容器に於いて、縦仕切り壁によって２分割しシリンダー１室及びシリンダー２室を設ける。壁面のやや下方の中央部に一方通行弁を設け、シリンダー１室よりシリンダー２室への流出を制し、シリンダー２室からシリンダー１室へのみ流出する弁とし、又その下方に液体小通路を設け、急激な液体の流れを抑制し、シリンダー内に充填された液体において、シリンダー１室の液面にはピストンが乗り、ピストンから伸びたアクセルペダル伝道棒を介してアクセルペダルへつながる。シリンダー２室の上部は、液面から上の空間にある空気の出入口として小さな通気孔が設けられている、
アクセルペダル急発進抑制装置。
以下、本発明の実施の状態を説明する。
自動車のアクセルペダルに制御装置を施す。
壁で仕切られた２個のシリンダーに細かい小通路と一方流入弁を設けアクセルペダルを急激に深く踏んでも、内蔵されている液体が細い小通路より急に流れることができない為、一旦止まりその後も徐々にしか踏み込めないので、急な発進を防止できる自動車のアクセルペダル。
アクセルペダルに連結した（１）シリンダー１室と（２）シリンダー２室の２個のシリンダー室を設け、両シリンダーは（５）液体小通路で繋がっているのと（６）
通路は弁を設け（２）シリンダー２室から（１）シリンダー１室の方向のみに流れる仕組みであり（３）ピストンに連結した（７）アクセルペダルを踏むと（５）液体小通路を通じて（２）シリンダー２室に流れるが通路が狭い為、流れる量に制約があるが、（６）一方通行弁は（１）シリンダー１室から（２）シリンダー２室へは弁が作用し流れないが、（６）一方通行弁は通路が大きい為、（３）ピストンが戻れば急に（２）シリンダー２室から（１）シリンダー１室に戻り元の状態になる。
【符号の説明】
【０００８】    １    シリンダー１室
２    シリンダー２室
３    ピストン
４    液体
５    液体小通路
６    一方通行弁
７    アクセルペダル
８    アクセルペダル伝道棒
９    閉じた弁
１０  シリンダー容器
１１  仕切り壁
１２  通気口
【図１】
2013023204.tif 000003
【図２】
2013023204.tif 000004
(57)【要約】【課題】ガバナロープに掛かる張力の最適値を調整できると共に、コストダウンを図ることができるエレベータのテンショナー装置を提供する。【解決手段】乗りかごが昇降する昇降路の上部に配置されたガバナシーブと、昇降路の下部に配置されたテンショナーシーブと、このテンショナーシーブとガバナシーブとの間に無端状に張設され、一部が乗りかごに連結されたガバナロープと、テンショナーシーブに取着され、上部には注入口が形成され、下部には排出口が形成され、内部に充填物を充填する容器と、を備え、テンショナーシーブに容器を吊り下げた状態で、ガバナロープに掛る張力が所定値になるように、容器に充填物を充填するエレベータのテンショナー装置。【選択図】図１
2013023368.tif 000002
【特許請求の範囲】
【請求項１】
乗りかごが昇降する昇降路の上部に配置されたガバナシーブと、
前記昇降路の下部に配置されたテンショナーシーブと、
このテンショナーシーブと前記ガバナシーブとの間に無端状に張設され、一部が前記乗りかごに連結されたガバナロープと、
前記テンショナーシーブに取着され、上部には注入口が形成され、下部には排出口が形成され、内部に充填物を充填する容器と、を備え、
前記テンショナーシーブに前記容器を吊り下げた状態で、前記ガバナロープに掛る張力が所定値になるように、前記容器に充填物を充填するエレベータのテンショナー装置。
【請求項２】
前記容器の注入口には蓋が取着され、排出口にはバルブが取着された請求項１記載のエレベータのテンショナー装置。
【請求項３】
前記容器に充填される充填物は、砂である請求項１又は請求項２記載のエレベータのテンショナー装置。
【請求項４】
前記容器に充填される充填物は、水である請求項１又は請求項２記載のエレベータのテンショナー装置。
【請求項５】
前記容器に充填される充填物は、砂と水の混合物である請求項１又は請求項２記載のエレベータのテンショナー装置。
【請求項６】
前記容器に充填される充填物は、鉄粉である請求項１又は請求項２記載のエレベータのテンショナー装置。
【発明の詳細な説明】
【技術分野】
【０００１】
本発明の実施形態は、エレベータのテンショナー装置に関する。
【背景技術】
【０００２】
エレベータには、乗りかごの走行時の異常速度を検知する調速器（ガバナ装置）が設置されている。
【０００３】
ガバナ付きのエレベータでは、昇降行程が長いとき、ロープ長も長くて、慣性が強い。このようなガバナテンショナー装置では、おもり重量を増やす必要がある。一方、昇降行程が短いものでは、おもりの重量を減らせる可能性がある。
しかしながら、従来のテンショナー装置では、おもりの重量調整が出来なかった。一旦、おもりの重量を決めると、短行程の場合でも、必要以上に重いおもりを使用している。
【０００４】
おもりの材質には、鋳物かコンクリート製が使用され、行程が短い場合でも必要以上の質量を使い、コストが割高となるという問題があった。
【先行技術文献】
【特許文献】
【０００５】
【特許文献１】特開２００１−２７０６６６号公報
【発明の概要】
【発明が解決しようとする課題】
【０００６】
本発明が解決しようとする課題は、ガバナロープに掛かる張力の最適値を調整できると共に、コストダウンを図ることができるエレベータのテンショナー装置を提供することである。
【課題を解決するための手段】
【０００７】
実施形態のエレベータのテンショナー装置は、乗りかごが昇降する昇降路の上部に配置されたガバナシーブと、前記昇降路の下部に配置されたテンショナーシーブと、このテンショナーシーブと前記ガバナシーブとの間に無端状に張設され、一部が前記乗りかごに連結されたガバナロープと、前記テンショナーシーブに取着され、上部には注入口が形成され、下部には排出口が形成され、内部に充填物を充填する容器と、を備え、前記テンショナーシーブに前記容器を吊り下げた状態で、前記ガバナロープに掛る張力が所定値になるように、前記容器に充填物を充填する。
【図面の簡単な説明】
【０００８】
【図１】実施形態に係るテンショナー装置の正面図である。
【発明を実施するための形態】
【０００９】
以下、本発明の一実施の形態について、図面を参照して説明する。
【００１０】
図１は、実施形態に係るガバナ付きのエレベータのテンショナー装置の正面図である。
【００１１】
ガバナ装置は、いずれも図示しないエレベータの機械室又は昇降路上部などに設置されるガバナ本体部に取着されたガバナシーブと、昇降路のピット床部の近傍に設置されるテンショナーシーブとが設けられ、これらガバナシーブとテンショナーシーブ２との間に無端状のガバナロープ１が掛け渡されている。ガバナロープ１の一部は連結レバーによって乗りかごに連結されている。
【００１２】
図１に示すように、ガバナロープ１の下端部にテンショナーシーブ２が配設されている。テンショナーシーブ２には、その内部に充填物４を充填可能な容器３が吊り下げられている。これらによって、ガバナロープ１に適当な張力が付与されるようになっている。
【００１３】
容器３は、上部に注入口４が形成され、下部には排出口５が形成されている。注入口４には蓋を取着することができ、排出口５にはバルブを取着することができる。容器３の注入口４から充填物６を充填し、排出口５から充填物６を取り除くことができるようになっている。容器３は、例えば、ステンレス製とする。
【００１４】
容器３に充填する充填物６としては、比重の大きい方が好ましく、例えば、砂や水、あるいは砂と水を混合させたもの、あるいは鉄粉が好適である。
【００１５】
テンショナーシーブ２に容器３を吊り下げたままの状態で、ガバナロープ１の張力を張力測定用ゲージで測定しながら、注入口４からガバナロープ１の張力を保持する必要な質量分の充填物６を充填した後、蓋を閉める。
【００１６】
尚、充填後、ガバナロープ１の張力が高すぎるときは、容器３の排出口５から余分の充填物６を排出し、再び適正な張力を保持することが出来る。
【００１７】
本実施形態によれば、ガバナロープ１に掛かる張力を最適値に調整できるとともに、コストダウンを実現できる。
【００１８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００１９】
１・・・ガバナロープ
２・・・テンショナーシーブ
３・・・容器
４・・・注入口
５・・・排出口
６・・・充填物
【図１】
2013023368.tif 000003